(57)【要約】【課題】簡易な構成で、導電コンタクト部材の端末部分を良好にシールドして、いわゆるＥＭＩ対策を十分に行うことを可能とする。【解決手段】絶縁ハウジング１１内に挿入された信号伝送媒体Ｆに対して、導電コンタクト部材１２，１３を弾性変位により電気的に接続させるスライダー部材１４に、導電性金属部材からなるシェル部材１５を一体的に成形し、スライダー部材１４と一体的にシェル部材１５を移動させることで導電コンタクト部材１２，１３の端末部分を含む全体をシェル部材１５で覆い、導電コンタクト部材１２，１３の一部が絶縁ハウジングから突出している場合であっても、導電コンタクト部材１２，１３の全体をシェル部材１５により覆って電磁遮蔽可能とするように構成したものである。たものである。【選択図】図１０
2016095953.tif 000002
【特許請求の範囲】
【請求項１】
内部に導電コンタクト部材が配置された絶縁ハウジングに、スライダー部材が移動可能に取り付けられたものであって、
前記スライダー部材を初期位置から作用位置まで移動させて前記導電コンタクト部材を弾性変位させることにより、前記絶縁ハウジングの内部に挿入された信号伝送媒体に対して前記導電コンタクト部材を、電気的に接続させるように構成された電気コネクタにおいて、
前記スライダー部材に、導電性金属部材からなるシェル部材が一体的に設けられたものであって、
前記スライダー部材が前記作用位置まで移動された際に、当該スライダー部材と一体的に移動された前記シェル部材が前記導電コンタクト部材の端末部分を含む全体を覆うように配置されることを特徴とする電気コネクタ。
【請求項２】
前記導電コンタクト部材は、印刷配線基板に半田接続される基板接続脚部を有し、
前記導電コンタクト部材の基板接続脚部が、前記作用位置まで移動された前記スライダー部材により覆われるように構成されていることを特徴とする請求項１記載の電気コネクタ。
【請求項３】
前記シェル部材は、前記スライダー部材にインサート成形されていることを特徴とする請求項１記載の電気コネクタ。
【請求項４】
前記導電コンタクト部材が、前記絶縁ハウジングの内部に多極状をなすように複数配列され、
それら多極状に配置された複数の導電コンタクト部材に対して、前記スライダー部材とともに移動した前記シェル部材がグランド接触するように弾性変位される構成になされていることを特徴とする請求項１記載の電気コネクタ。
【発明の詳細な説明】
【技術分野】
【０００１】
本発明は、絶縁ハウジングの内部に信号伝送媒体を挿入して接続を行うように構成された電気コネクタに関する。
【背景技術】
【０００２】
一般に、種々の電気機器等に用いられている印刷配線基板上に電気コネクタを実装し、その電気コネクタを介して、フレキシブル・プリンテッド・サーキット（ＦＰＣ）や、フレキシブル・フラット・ケーブル（ＦＦＣ）等の各種信号伝送媒体を印刷配線基板に電気的に接続することが広く行われている。例えば、下記の特許文献に記載されている電気コネクタでは、ＦＰＣやＦＦＣ等からなる信号伝送媒体を、印刷配線基板上に実装された電気コネクタの挿入口から挿入し、その信号伝送媒体（ＦＰＣやＦＦＣ等）の挿入を完了した後に、スライダー部材（接続操作手段）を回動操作又はスライド操作することで導電コンタクト部材を弾性変位させ、当該導電コンタクト部材に設けられた接点部を、信号伝送媒体の電極部に圧接させることによって電気的な接続を行うようにしている。
【０００３】
一方、伝送信号の高周波化が図られつつある近年においては、信号伝送媒体から導電コンタクト部材に至る伝送経路を、シェル等のシールド部材によって覆うことにより電磁波遮断（EMI）対策を施すことが重要となりつつある。しかしながら、例えば下記の特許文献１のように、印刷配線基板上の導電路に半田接続される導電コンタクト部材の基板接続脚部等の端末部分（テール部分）が、絶縁ハウジングから外方に突出するように配置された構造の電気コネクタにあっては、その導電コンタクト部材における外方突出部分が、シェル等のシールド部材により覆われなくなって外方に露出される構造が多くなってきている。このように、導電コンタクト部材の一部が外方に露出された状態となっていると、電磁波遮断の機能が十分に得られないおそれがある。
【０００４】
一方、下記の特許文献２及び３では、シールド部材が、導電コンタクト部材の基板接続脚部の端末部（テール部）まで覆う構造が採用されているものの、シールド部材を別部品として準備するように構成されているため、部品点数や組立工程数が増大する傾向になっていることから生産性に問題がある。
【先行技術文献】
【特許文献】
【０００５】
【特許文献１】特開２００６−０３２２４３号公報
【特許文献２】特開２００５−２６８０１８号公報
【特許文献３】特開２００９−２７２２５６号公報
【発明の概要】
【発明が解決しようとする課題】
【０００６】
そこで本発明は、簡易な構成で、導電コンタクト部材の端末部分を良好にシールドし、かつ効率的な組立性を得ることができるようにした電気コネクタを提供することを目的とする。
【課題を解決するための手段】
【０００７】
上記目的を達成するため請求項１にかかる発明では、内部に導電コンタクト部材が配置された絶縁ハウジングに、スライダー部材が移動可能に取り付けられたものであって、前記スライダー部材を初期位置から作用位置まで移動させて前記導電コンタクト部材を弾性変位させることにより、前記絶縁ハウジングの内部に挿入された信号伝送媒体に対して前記導電コンタクト部材を電気的に接続させるように構成された電気コネクタにおいて、前記スライダー部材に、導電性金属部材からなるシェル部材が一体的に設けられたものであって、前記スライダー部材が前記作用位置まで移動された際に、当該スライダー部材と一体的に移動された前記シェル部材が前記導電コンタクト部材の端末部分を含む全体を覆うように配置される構成が採用されている。
【０００８】
また、請求項２にかかる発明においては、請求項１記載の導電コンタクト部材は、印刷配線基板に半田接続される基板接続脚部を有し、前記導電コンタクト部材の基板接続脚部が、前記作用位置まで移動された前記スライダー部材により覆われる構成とすることが可能である。
【０００９】
このような構成を有する請求項１及び２にかかる電気コネクタによれば、導電コンタクト部材の一部である基板接続脚部等の端末部分（テール部）が絶縁ハウジングから突出している場合であっても、スライダー部材が作用位置まで移動された際に、導電コンタクト部材の端末部分を含む全体がシェル部材により覆われて電磁遮蔽されることとなり、簡易な構成によって、いわゆるＥＭＩ対策が十分に行われることとなって良好なシールド性が得られる。
【００１０】
また、請求項３にかかる発明のように、請求項１記載のシェル部材は、前記スライダー部材にインサート成形されていることが望ましい。
【００１１】
このような請求項３にかかる電気コネクタによれば、シェル部材の製造工程が容易化される。
【００１２】
また、請求項４にかかる発明のように、請求項１記載の導電コンタクト部材が、前記絶縁ハウジングの内部に多極状をなすように複数配列され、それら多極状に配置された複数の導電コンタクト部材に対して、前記スライダー部材とともに移動した前記シェル部材がグランド接触するように弾性変位される構成になされていることが望ましい。
【００１３】
このような構成を有する請求項４にかかる電気コネクタによれば、スライダー部材の移動によってシェル部材にグランド接触する導電コンタクト部材を、多極配列方向において任意の位置に配置することが可能となり、信号伝送媒体の導電路や印刷配線基板の導電路に対応した導電コンタクト部材の配置構成が容易に得られる。
【発明の効果】
【００１４】
以上述べたように本発明にかかる電気コネクタは、絶縁ハウジング内に挿入された信号伝送媒体に対して、導電コンタクト部材を弾性変位により電気的に接続させるスライダー部材に、導電性金属部材からなるシェル部材を一体的に成形し、スライダー部材と一体的にシェル部材を移動させることで導電コンタクト部材の端末部分を含む全体をシェル部材で覆う構成を採用し、導電コンタクト部材の一部が絶縁ハウジングから突出している場合であっても、導電コンタクト部材の全体をシェル部材により覆って電磁遮蔽可能とするように構成したものであるから、簡易な構成で、導電コンタクト部材の端末部分を良好にシールドして、いわゆるＥＭＩ対策を十分に行うことができるとともに、効率的な組立性を得ることができ、電気コネクタの信頼性を低廉かつ大幅に向上させることができる。
【図面の簡単な説明】
【００１５】
【図１】本発明の第１の実施形態にかかる電気コネクタを表したものであって、スライダー部材が「初期位置」に配置された状態をコネクタ正面側の上方から表した外観斜視説明図である。
【図２】図１に表された電気コネクタにおいてシェル部材を取り除いた状態を表した外観斜視説明図である。
【図３】図１及び図２に表された電気コネクタの正面説明図である。
【図４】図１及び図２に表された電気コネクタの平面説明図である。
【図５】図１及び図２に表された電気コネクタの底面説明図である。
【図６】図１〜図５に表された電気コネクタに用いられているスライダー部材の単品を示したものであって、シェル部材を取り外した状態をコネクタ正面側の上方から見たときの外観斜視説明図である。
【図７】図１〜図５に表された電気コネクタに用いられている信号伝送用の導電コンタクトを示したコネクタ長手方向に直交する方向の横断面説明図である。
【図８】図１〜図５に表された電気コネクタに用いられているグランド接続用の導電コンタクトを表したコネクタ長手方向に直交する方向の横断面説明図である。
【図９】図１〜図８に表された「初期位置」にある電気コネクタに信号伝送媒体（ＦＰＣ又はＦＦＣ等）の端末部分を挿入した後にスライダー部材を「作用位置」まで押し込んだ状態をコネクタ正面側の上方から表した外観斜視説明図である。
【図１０】図９に表されたスライダー部材が「作用位置」に押し込まれた電気コネクタの図６相当の横断面説明図である。
【図１１】図９に表されたスライダー部材が「作用位置」に押し込まれた電気コネクタの図７相当の横断面説明図である。
【図１２】本発明の第２の実施形態にかかる電気コネクタを表したものであって、スライダー部材が「初期位置」から「作用位置」に押し込まれた状態をコネクタ正面側の上方から表した外観斜視説明図である。
【図１３】図１２に表された電気コネクタの正面説明図である。
【図１４】図１２及び図１３に表された電気コネクタの平面説明図である。
【図１５】図１２〜図１４に表された電気コネクタの底面説明図である。
【図１６】図１２〜図１５に表されたスライダー部材が「初期位置」にある電気コネクタのコネクタ長手方向に直交する方向の横断面説明図である。
【図１７】図１２〜図１５に表された「初期位置」にある電気コネクタの水平断面説明図である。
【図１８】図１６に表された状態から電気コネクタのスライダー部材を「作用位置」まで押し込んだ状態を示した図１６相当の横断面説明図である。
【図１９】図１８に表されたスライダー部材が「作用位置」にある電気コネクタの水平断面説明図である。
【図２０】図１２〜図１９に表された電気コネクタに対して、信号伝送媒体（ＦＰＣ又はＦＦＣ等）の端末部分を挿入してスライダー部材を「作用位置」まで押し込んだ状態を示した図１６相当の横断面説明図である。
【発明を実施するための形態】
【００１６】
以下、本発明の一実施形態を図面に基づいて詳細に説明する。
【００１７】
［コネクタ全体構造について］
まず、図１〜図１１に示された本発明の第１の実施形態にかかる電気コネクタ１０は、印刷配線基板上に実装して用いられるリセプタクルコネクタからなるものであって、細長状に延在する絶縁性部材からなる絶縁ハウジング（インシュレータ）１１を備えている。この絶縁ハウジング１１は、平面略長方形状をなす薄厚の中空状筐体から形成されており、当該絶縁ハウジング１１のコネクタ前端縁部分、すなわち互いに対向する長辺側両端縁の一方側（図７及び図８の左端側）には、フレキシブル・プリンテッド・サーキット（ＦＰＣ）やフレキシブル・フラット・ケーブル（ＦＦＣ）等からなる信号伝送媒体Ｆ（図９参照）が挿入される前方側挿入口１１ａが、横細長状の開口形状を有するように設けられている。
【００１８】
また、その前方側挿入口１１ａとは反対側（図７及び図８の右端側）のコネクタ後端縁部分には、後述する導電コンタクト１２，１３や、接続操作手段としてのスライダー部材１４を装着するための後方側開口部が設けられており、上述した前方側挿入口１１ａから後方側開口部に至るまでの間部分に、信号伝送媒体（ＦＰＣ又はＦＦＣ等）Ｆが挿入されることで収容される媒体収容通路１１ｂが形成されている。
【００１９】
以下において、上述した絶縁ハウジング１１の長手方向に相当する方向を「コネクタ長手方向」と呼ぶとともに、前方側挿入口１１ａと後方側開口部とが対向する方向を「コネクタ前後方向」と呼ぶこととし、また、それら「コネクタ長手方向」及び「コネクタ前後方向」の双方に直交する方向を「コネクタ上下方向」と呼ぶこととする。
【００２０】
一方、上述した絶縁ハウジング１１における後方側開口部からコネクタ長手方向の両側部分にかけての部位を覆うようにして後述する接続操作手段としてのスライダー部材１４が装着されている。このスライダー部材１４は、絶縁ハウジング１１に対してコネクタ前後方向に往復移動自在に取り付けられており、絶縁ハウジング１１の後方側に離間された「初期位置」（図７及び図８参照）から、コネクタ前方側に向かって押し込まれた「作用位置」（図１０及び図１１参照）に移動されることによって、導電コンタクト１２，１３を信号伝送媒体（ＦＰＣ又はＦＦＣ等）Ｆに対して電気的に接続させる構成になされている。この点については、本発明の要部として後段において詳細に説明する。
【００２１】
［導電コンタクトについて］
また、上述したように絶縁ハウジング１１に設けられた媒体収容通路１１ｂの内部には、略Ｈ字形状を直角横向きに倒した側面形状を有する複数体の導電コンタクト（コンタクト部材）１２，１３が、コネクタ前後方向に延在するように挿入されている。それらの各導電コンタクト１２，１３は、薄板状の金属製部材から形成されており、絶縁ハウジング１１の横幅方向（コネクタ長手方向）に適宜の間隔で凹設された装着溝内に、多極状をなして並列するように配置されている。
【００２２】
これらの導電コンタクト１２，１３においては、同一形状を有する信号伝送用の導電コンタクト１２が多数配列されている信号多極配列領域の一部に、当該信号伝送用の導電コンタクト１２とは僅かに異なる形状を有するグランド接続用の導電コンタクト１３が適宜の位置に配置された構成が採用されている。グランド接続用の導電コンタクト１３の配置位置は、信号伝送媒体（ＦＰＣ又はＦＦＣ等）Ｆに形成された導電路及び印刷配線基板上に形成された導電路の配置関係に合わせた所定の位置に設定されており、本実施形態においては、コネクタ長手方向の両端及び中央に相当する位置に、グランド接続用の導電コンタクト１３が配置されている。これらの導電コンタクト１２，１３の前端部分（図７及び図８の左端部分）は、印刷配線基板（図示省略）上に半田接合され、それによって信号伝送用又はシールド用のいずれかとして使用される。
【００２３】
このような導電コンタクト１２，１３の各々は、上述したようにコネクタ前端側からコネクタ後方側（図７及び図８の右方側）に向かって押し込むようにして装着されており、信号伝送媒体（ＦＰＣ又はＦＦＣ等）Ｆの表面又は裏面に形成された信号伝送用の導電路（信号線）又はシールド用導電路（シールド線）のいずれかからなる導電路に対応した位置に当該導電コンタクト１２，１３のそれぞれが配置されている。これらの各導電コンタクト１２，１３は、信号伝送媒体Ｆの挿抜方向（図７及び図８の左右方向）に沿って延在する一対の細長状ビーム部材からなる可動コンタクトビーム１２ａ，１３ａ及び固定コンタクトビーム１２ｂ，１３ｂをそれぞれ有している。
【００２４】
これらの可動コンタクトビーム１２ａ，１３ａ及び固定コンタクトビーム１２ｂ，１３ｂは、上述した絶縁ハウジング１１に設けられた媒体収容通路１１ｂの内方側空間において、コネクタ上下方向に適宜の間隔をなして互いに対向した状態に配置されており、コネクタ前後方向（図７及び図８の左右方向）に沿って細長状をなすように延在している。そのうちの固定コンタクトビーム１２ｂ，１３ｂは、前記絶縁ハウジング１１の底部内壁面に沿って延在するように配置されていて、当該絶縁ハウジング１１の内部で略不動状態となるように保持されている。
【００２５】
その固定コンタクトビーム１２ｂ，１３ｂには、コネクタ前後延在方向（図７及び図８の左右方向）における略中央部分に、略鉛直方向（図７及び図８の上下方向）に延在する細幅板状の連結支柱部１２ｃ，１３ｃが一体的に連結されている。そして、その連結支柱部１２ｃ，１３ｃの上端部分には、上述した可動コンタクトビーム１２ａ，１３ａがコネクタ前後方向（図７及び図８の左右方向）に延在するように一体的に連結されている。この可動コンタクトビーム１２ａ，１３ａは、固定コンタクトビーム１２ｂ，１３ｂに対して弾性変位可能な可撓性を有しており、それらの各可動コンタクトビーム１２ａ，１３ａの弾性変位は、図７及び図８の紙面を含む延在平面内において行われる構成になされている。
【００２６】
さらに、上述した可動コンタクトビーム１２ａ，１３ａの前端部分（図７及び図８の左端側部分）には、信号伝送媒体（ＦＰＣ又はＦＦＣ等）Ｆの図示上面側に形成された信号伝送用又はシールド用のいずれかの導電路に接続される接点部として端子接触凸部１２ａ１，１３ａ１が図示下向きの突形状をなすように設けられている。また、その可動コンタクトビーム１２ａ，１３ａの端子接触凸部１２ａ１，１３ａ１に対応して、固定コンタクトビーム１２ｂ，１３ｂ側にも、信号伝送媒体（ＦＰＣ又はＦＦＣ等）Ｆの図示下面側に形成された信号伝送用又はシールド用の導電路（図示省略）のいずれかに接続される端子接触凸部１２ｂ１，１３ｂ１が図示上向きの突形状をなすように設けられている。そして、これらの可動コンタクトビーム１２ａ，１３ａに設けられた端子接触凸部１２ａ１，１３ａ１と、その直下位置に対面するように配置された固定コンタクトビーム１２ｂ，１３ｂの端子接触凸部１２ｂ１，１３ｂ１との間に、前記信号伝送媒体Ｆが挿入されて挟持される。
【００２７】
このとき、それらの可動コンタクトビーム１２ａ，１３ａの端子接触凸部１２ａ１，１３ａ１及び固定コンタクトビーム１２ｂ，１３ｂの端子接触凸部１２ｂ１，１３ｂ１は、互いの位置をコネクタ前方側（図７及び図８の左方側）或いはコネクタ後方側（図７及び図８の右方側）にずらして配置することも可能である。
【００２８】
さらに、上述した固定コンタクトビーム１２ｂ，１３ｂのコネクタ前端側部分（図７及び図８の左端側部分）には、上述した印刷配線基板上に形成された導電路（図示省略）に半田接続される基板接続脚部１２ｂ２，１３ｂ２が形成されていて、当該基板接続脚部１２ｂ２，１３ｂ２を介して、印刷配線基板上の導電路に対する電気的な接続が行われるようになっている。
【００２９】
［スライダー部材について］
一方、可動コンタクトビーム１２ａ，１３ａ及び固定コンタクトビーム１２ｂ，１３ｂのコネクタ後端側部分には、前述したようにスライダー部材（接続操作手段）１４が、絶縁ハウジング１１の後方側に離間した「初期位置」（図７及び図８参照）と、コネクタ前方側に押し込まれた「作用位置」（図１０及び図１１参照）との間において往復移動自在に取り付けられている。このスライダー部材１４は、絶縁性部材から形成されており、上述した絶縁ハウジング１１の後端側開口に沿ってコネクタ長手方向に細長状に延在するスライダー操作部１４ａを備えているとともに、当該スライダー操作部１４ａのコネクタ長手方向の両側部分には、一対のスライドガイド側板１４ｂ，１４ｂが、互いに略平行に対面するように設けられている。それらの両スライドガイド側板１４ｂ，１４ｂは、絶縁ハウジング１１の両側壁面の外方側に対して、コネクタ前後方向に移動可能となるように取り付けられている。
【００３０】
このとき、上述したスライダー操作部１４ａは、絶縁ハウジング１１の後端側開口部に対して、コネクタ前後方向に対面する細長板状部材から形成されているとともに、そのスライダー操作板１４ｂが絶縁ハウジング１１の後端側開口部に対面している内側壁面からは、略楔状をなすスライダー突起部１４ｃが、コネクタ前方側に向かって突出するように設けられている。このスライダー突起部１４ｃは、コネクタ長手方向に直交する断面形状がコネクタ前方側に向かって突出する山形状をなすように形成されており、その断面山形状の突出側先端部分が、前述した可動コンタクトビーム１２ａ，１３ａ及び固定コンタクトビーム１２ｂ，１３ｂ同士の間部分に入り込んだ配置関係になされている。
【００３１】
そのスライダー突起部１４ｃにおける略楔状の山形断面形状を形成している上下の両表面は、コネクタ前方側に向かって互いに近付く方向に傾斜する平面から形成されており、当該スライダー突起部１４ｃの上下両傾斜面が、上述した導電コンタクト１２，１３の後端部分に接触するように配置されている。そして、そのスライダー突起部１４ｃが、コネクタ前方側（図６及び図７の左方側）に向かって押し込まれた際に、当該スライダー突起部１４ｃの上下両傾斜面の、いわゆる楔作用に基づく上下拡幅作用によって、可動コンタクトビーム１２ａ，１３ａが上方側に向かって弾性変位されるようになっている。
【００３２】
この点を具体的に説明すると、上述した可動コンタクトビーム１２ａ，１３ａ及び固定コンタクトビーム１２ｂ，１３ｂにおけるコネクタ後端部分の下端縁及び上端縁には、下方及び上方に突出する接触下方突起１２ａ２，１３ａ２及び接触上方突起１２ｂ３，１３ｂ３が、それぞれ設けられている。それら可動コンタクトビーム１２ａ，１３ａ及び固定コンタクトビーム１２ｂ，１３ｂに設けられた接触下方突起１２ａ２，１３ａ２及び接触上方突起１２ｂ３，１３ｂ３は、上下方向に所定の間隔をなして対面するように配置されており、それらの接触下方突起１２ａ２，１３ａ２と接触上方突起１２ｂ３，１３ｂ３との間部分に、上述したスライダー突起部１４ｃが挿入される配置関係になされている。そして、そのスライダー突起部１４ｃがコネクタ前方側に押し込まれて移動した際に、当該スライダー突起部１４ｃの上下両傾斜面が、可動コンタクトビーム１２ａ，１３ａ及び固定コンタクトビーム１２ｂ，１３ｂにおける接触下方突起１２ａ２，１３ａ２及び接触上方突起１２ｂ３，１３ｂ３に対して圧接状態となり、そこに、いわゆる楔作用に基づく上下拡幅作用が発生することとなる。
【００３３】
このようなスライダー突起部１４ｃの押し込み時に発生する上下拡幅作用によって、接触下方突起１２ａ２，１３ａ２及び接触上方突起１２ｂ３，１３ｂ３を介して、可動コンタクトビーム１２ａ，１３ａ及び固定コンタクトビーム１２ｂ，１３ｂは、上下方向に押し広げられる方向に変位する応力を受けることとなる。そのとき、固定コンタクトビーム１２ｂ，１３ｂは、絶縁ハウジング１１の内側壁面（底面）に押し付けられて略不動状態に保持されることから、弾性変位を生じることなく維持されるが、可動コンタクトビーム１２ａ，１３ａの後端部分は、上述したスライダー突起部１４ｃの押し込みに伴って、接触下方突起１２ａ２，１３ａ２を介して上方側に持ち上げられるように弾性変位し、それに伴って、コネクタ前端側に設けられた端子接触凸部１２ａ１，１３ａ１が、信号伝送媒体Ｆを押圧する構成になされている。
【００３４】
このように、まずスライダー部材（接続操作手段）１４が、絶縁ハウジング１１から後方側に離間した「初期位置」にある状態（図７及び図８参照）において、絶縁ハウジング１１の前方側挿入口１１ａを通して信号伝送媒体（ＦＰＣ又はＦＦＣ等）Ｆが媒体収容通路１１ｂの内部に挿入され、その後にスライダー部材１４が、コネクタ前方側に向かって押し込まれる操作が行われて「作用位置」まで押し込まれる（図１０及び図１１参照）。それに伴って、可動コンタクトビーム１２ａ，１３ａの後端部分が、前述したようなスライダー突起部１４ｃの上下拡幅作用によって上方に弾性変位し、信号伝送媒体（ＦＰＣ又はＦＦＣ等）Ｆの表面に形成された信号伝送用又はグランド用の各導電路に対して、可動コンタクトビーム１２ａ，１３ａの端子接触凸部１２ａ１，１３ａ１及び固定コンタクトビーム１２ｂ，１３ｂの端子接触凸部１２ｂ１，１３ｂ１が圧接状態となり、当該可動コンタクトビーム１２ａ，１３ａと固定コンタクトビーム１２ｂ，１３ｂとの間に信号伝送媒体（ＦＰＣ又はＦＦＣ等）Ｆが挟持され、電気的な接続が行われる。
【００３５】
［導電性シェル（シェル部材）について］
一方、前述したようなスライダー部材（接続操作手段）１４には、導電性金属部材からなる導電性シェル（シェル部材）１５が、インサート成形等によって一体的に取り付けられている。この導電性シェル１５は、金属製板状部材から形成されており、前述したスライダー部材１４のスライダー操作部１４ａに沿って固定基板１５ａが埋設されている。この固定基板１５ａの上端縁部分からは、当該導電性シェル１５の主体部分が、コネクタ前方に向かって平板状をなすようにして突出している。
【００３６】
そして、この導電性シェル１５の主体部分を構成している平板状突出部分は、コネクタ上方に向かって露出した状態で延在しており、絶縁ハウジング１１の全面を上方側から覆うように配置されている。この導電性シェル１５の主体部分におけるコネクタ長手方向の両側部分には、下方に向かって略直角に折れ曲がって延びる一対の固定側板１５ｂ，１５ｂが連設されている。それらの両固定側板１５ｂ，１５ｂは、前述したスライダー部材（接続操作手段）１４におけるコネクタ長手方向の両側部分に設けられたスライドガイド側板１４ｂ，１４ｂに対して、インサート成形による埋設状態で固定されている。
【００３７】
また、この導電性シェル（シェル部材）１５の主体部分は、上述したように絶縁ハウジング１１の上側表面の全面を上方側から覆うように配置されているが、特に前述したスライダー部材（接続操作手段）１４が「作用位置」まで押し込まれるように移動された際にあっては、当該導電性シェル１５が、スライダー部材１４とともにコネクタ前方側に移動することによって、導電コンタクト１２，１３の全体を上方側から覆うように配置される構成になされている。
【００３８】
より具体的には、スライダー部材（接続操作手段）１４が絶縁ハウジング１１から後方側に離間した「初期位置」にある場合（図７及び図８参照）にあっては、上述した導電性シェル（シェル部材）１５の前端縁部分は、導電コンタクト１２，１３の前端部分に設けられた基板接続脚部１２ｂ２，１３ｂ２からやや後方側に位置しており、それらの基板接続脚部１２ｂ２，１３ｂ２を完全に覆うことはない。これに対して、前述したようにスライダー部材１４がコネクタ前方側に押し込まれて「作用位置」にある場合（図１０及び図１１参照）にあっては、導電性シェル１５がスライダー部材１４とともに前方側に移動することで、当該導電性シェル１５の前端縁部分が、導電コンタクト１２，１３の基板接続脚部１２ｂ２，１３ｂ２の上方側に位置することとなる。その結果、導電性シェル１５によって導電コンタクト１２，１３の全体が覆われる配置関係となる。
【００３９】
一方、前述したグランド接続用の導電コンタクト（コンタクト部材）１３に設けられた可動コンタクトビーム１３ａは、スライダー部材（接続操作手段）１４が「作用位置」まで移動操作された際に、導電性シェル（シェル部材）１５に接触状態となるように構成されている。すなわち、当該グランド接続用の可動コンタクトビーム１３ａにおけるコネクタ後端部分の上端縁には、上方側に向かって突出するグランド接触凸部１３ａ３が形成されている。そして、前述したようにスライダー部材１４が「作用位置」までコネクタ前方側に押し込まれることで、可動コンタクトビーム１３ａの後端部分が上方側に持ち上げられるように弾性変位する（図１０及び図１１参照）。それに伴って、上述したグランド接触凸部１３ａ３が、導電性シェル１５の内壁面に対して下方側から接触状態となり、これによってグランド接続が行われるようになっている。
【００４０】
このような構成を有する本実施形態にかかる電気コネクタ１０においては、導電コンタクト１２，１３の端末部分、より具体的には基板接続脚部１２ｂ２，１３ｂ２が、絶縁ハウジング１１からコネクタ前方側に突出する構成になされているが、スライダー部材（接続操作手段）１４が、コネクタ前方側に押し込まれて「作用位置」にある場合（図１０及び図１１参照）には、導電性シェル（シェル部材）１５の前端縁部分が、導電コンタクト１２，１３の基板接続脚部１２ｂ２，１３ｂ２を上方側から覆う配置関係となる。従って、電気コネクタ１０が実際に使用される場合においては、導電コンタクト１２，１３の基板接続脚部１２ｂ２，１３ｂ２を含む全体が、導電性シェル（シェル部材）１５により覆われて電磁遮蔽されることとなり、簡易な構成によって、いわゆるＥＭＩ対策が十分に行われることとなって良好なシールド性が得られる。
【００４１】
このとき、特に本実施形態においては、導電性シェル（シェル部材）１５がスライダー部材（接続操作手段）１４にインサート成形されていることから、導電性シェル１５の製造工程が容易化される。
【００４２】
さらに、本実施形態においては、スライダー部材１４の押し込み移動によって導電性シェル（シェル部材）１５にグランド接触するグランド接続用の導電コンタクト１３を、多極配列方向において任意の位置に配置することが可能となっており、信号伝送媒体（ＦＰＣ又はＦＦＣ等）Ｆの導電路や、印刷配線基板の導電路に対応した導電コンタクト部材の配置構成が容易に得られ、多種多様な信号伝送媒体（ＦＰＣ又はＦＦＣ等）に対して容易に対応可能となっている。
【００４３】
［第２の実施形態について］
一方、上述した第１の実施形態と同一の構成部材に対して同一の符号を付した図１２〜図２０にかかる第２の実施形態において採用された電気コネクタは、スライダー部材（接続操作手段）１４を「作用位置」に保持するロック機構が設けられた構成を備えたものである。そして、そのようなロック機構以外の部位については、前述した第１の実施形態と同様の構成であるので、以下の説明は、主としてロック機構について行うこととする。
【００４４】
前述したようにスライダー部材（接続操作手段）１４に一体的に成形された導電性シェル（シェル部材）１５のコネクタ長手方向の両側部分には、略直角下方に向かって折り曲げ形成された固定側板１５ｂ，１５ｂが設けられているが、本実施形態における各固定側板１５ｂは、コネクタ後方側の部分が絶縁ハウジング１１に埋設されている。一方、当該各固定側板１５ｂにおけるコネクタ前方側の部分には、絶縁ハウジング１１に覆われることなく露出状態になされたロックアーム１５ｃが設けられている。
【００４５】
それらの各ロックアーム１５ｃは、上述したようにコネクタ後方側において絶縁ハウジング１１に埋設された各固定側板１５ｂからコネクタ前方側に向かって片持ち状に突出する構成になされている。本実施形態における各ロックアーム１５ｃは、帯板状をなすように延在するバネ状部材から形成されており、当該ロックアーム１５ｃの突出方向の前端部分には、コネクタ内方側に向かって折り曲げ形成されたロック係合部１５ｄが設けられている。そのロック係合部１５ｄは、絶縁ハウジング１１の両側外壁面に沿って滑動自在に収容されている。
【００４６】
上述した絶縁ハウジング１１の両側外壁面には、コネクタ前後方向に延在する凹溝状部分が形成されており、前述したスライダー部材（接続操作手段）１４のコネクタ前後方向における往復移動に伴って、当該ロックアーム１５ｃのロック係合部１５ｄが、絶縁ハウジング１１の両側外壁面の凹溝状部分の内部を滑動するように往復移動される構成になされている。また、その絶縁ハウジング１１の両側壁面におけるコネクタ前端部分には、スライダー部材（接続操作手段）１４がコネクタ前方側の「作用位置」に押し込まれた際にロック係合部１５ｄを係合させるロック係止部１１ｃが、ホールドダウン１６との間に段差状をなすように形成されている。
【００４７】
すなわち、絶縁ハウジング１１の両側壁部におけるコネクタ内方側部分には、配線基板に半田接合されるホールドダウン１６がそれぞれ配置されている。それらの各ホールドダウン１６は、絶縁ハウジング１１の両側壁部におけるコネクタ前方側の端面に対してコネクタ内方側にやや引き込んで配置されており、当該ホールドダウン１６と、絶縁ハウジング１１の両側壁面との間に形成された段差部分が、上述したロック係止部１１ｃになされている。
【００４８】
そして、前述したようにスライダー部材（接続操作手段）１４が「作用位置」に向かって押し込まれることで、絶縁ハウジング１１の両側外壁面に沿ってコネクタ前方側に移動してきたロック係合部１５ｂ１が、ロック係止部１１ｃを形成している段差状部分に到達した際に、特に図１９に示されているように、ロック係止部１１ｃの段差部分に対してロック係合部１５ｂ１が、ロックアーム１５ｃの弾性力で落ち込むようにして係合状態になされる。
【００４９】
このように導電性シェル（シェル部材）１５に設けられたロック係止部１１ｃが、絶縁ハウジング１１に設けられたロック係止部１１ｃに対して係合状態になされると、導電性シェル１５とともにスライダー部材（接続操作手段）１４が「作用位置」に保持されることとなる。
【００５０】
このような構成を有する第２の実施形態においては、上述した第１の実施形態と略同様な作用・効果に加えて、信号伝送媒体（ＦＰＣ又はＦＦＣ等）Ｆの挟持状態が確実に保持されることとなる。なお、上述した第２の実施形態では、絶縁ハウジング１１の端面にロック係止部１１ｃを設けているが、ホールドダウン１６側に同様なロック係止部を設けることも可能である。
【００５１】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００５２】
例えば、上述した各実施形態においては、電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００５３】
また、上述した実施形態にかかる電気コネクタは、形状が異なる導電コンタクトを用いたものであるが、同一形状の導電コンタクトを用いたものであっても本発明は同様に適用することが可能である。
【産業上の利用可能性】
【００５４】
本発明は、各種電気機器に使用する多種多様な電気コネクタに対して広く適用することが可能である。
【符号の説明】
【００５５】
１０  リセプタクルコネクタ
１１  絶縁ハウジング（インシュレータ）
１１ａ  前方側挿入口
１１ｂ  媒体収容通路
１１ｃ  ロック係止部
１２，１３  導電コンタクト（コンタクト部材）
１２ａ，１３ａ  可動コンタクトビーム
１２ａ１，１３ａ１  端子接触凸部
１２ａ２，１３ａ２  接触下方突起
１２ｂ，１３ｂ  固定コンタクトビーム
１２ｂ１，１３ｂ１  端子接触凸部
１２ｂ２，１３ｂ２  基板接続脚部
１２ｂ３，１３ｂ３  接触上方突起
１２ｃ，１３ｃ  連結支柱部
１３ａ３  グランド接触凸部
１４  スライダー部材（接続操作手段）
１４ａ  スライダー操作部
１４ｂ  スライドガイド側板
１４ｃ  スライダー突起部
１５  導電性シェル（シェル部材）
１５ａ  固定基板
１５ｂ  固定側板
１５ｃ  ロックアーム
１５ｄ  ロック係合部
１６  ホールドダウン
Ｆ  信号伝送媒体（ＦＰＣ又はＦＦＣ等）
【図１】
2016095953.tif 000003
【図２】
2016095953.tif 000004
【図３】
2016095953.tif 000005
【図４】
2016095953.tif 000006
【図５】
2016095953.tif 000007
【図６】
2016095953.tif 000008
【図７】
2016095953.tif 000009
【図８】
2016095953.tif 000010
【図９】
2016095953.tif 000011
【図１０】
2016095953.tif 000012
【図１１】
2016095953.tif 000013
【図１２】
2016095953.tif 000014
【図１３】
2016095953.tif 000015
【図１４】
2016095953.tif 000016
【図１５】
2016095953.tif 000017
【図１６】
2016095953.tif 000018
【図１７】
2016095953.tif 000019
【図１８】
2016095953.tif 000020
【図１９】
2016095953.tif 000021
【図２０】
2016095953.tif 000022